(57)【要約】本発明は、例えばフレキシブルパウチといったような１つ以上の物品を収容するためのカートンに関するものであって、カートンの開放端を通しての収容物品のこぼれ落ちを防止するための物品保持構造を具備し、物品保持構造が、カートンの頂壁（２２）と底壁（１６）との間に位置した両側壁（１４，１８）の間にわたって延在する保持パネル（２６）を備え、これにより、頂壁（２２）と協働することによって筒状構造を形成するものとされ、保持パネル（２６）が、少なくとも１つの物品受領孔（９０，９２）を有して形成され、筒状構造に、この筒状構造を立体状態に維持するためのブレース（５０）が設けられている。
2004508251.tif 000002
【特許請求の範囲】
【請求項１】
例えばフレキシブルパウチといったような１つ以上の物品を収容するためのカートンであって、
該カートンの開放端を通しての前記収容物品のこぼれ落ちを防止するための物品保持構造を具備し、
該物品保持構造が、前記カートンの頂壁と底壁との間に位置した両側壁の間にわたって延在する保持パネルを備え、これにより、前記頂壁と協働することによって筒状構造を形成するものとされ、
前記保持パネルが、少なくとも１つの物品受領孔を有して形成され、
前記筒状構造に、該筒状構造を立体状態に維持するためのブレースが設けられていることを特徴とするカートン。
【請求項２】
請求項１記載のカートンにおいて、
前記ブレースが、前記保持パネルに対して折曲可能に接続されたブレースパネルを有し、
該ブレースパネルを前記筒状構造内へと折り曲げることによって、前記ブレースパネルが、前記筒状構造の内側面に対して係合することを特徴とするカートン。
【請求項３】
請求項２記載のカートンにおいて、
前記ブレースパネルが、前記保持パネルから切り出されたものであるとともに、前記筒状構造内へと折り曲げることによって前記物品受領孔を形成することを特徴とするカートン。
【請求項４】
請求項１〜３のいずれか１項に記載のカートンにおいて、
前記ブレースパネルに、該ブレースパネルに対して折曲可能に接続された摩擦タブが設けられ、
該摩擦タブが、前記カートンの一方の側壁の上部と係合し得るように構成されていることを特徴とするカートン。
【請求項５】
請求項１〜３のいずれか１項に記載のカートンにおいて、
前記ブレースパネルに、該ブレースパネルに対して折曲可能に接続された摩擦タブが設けられ、
該摩擦タブが、該摩擦タブを折り曲げられた状態に維持し得るよう、前記筒状構造の内側面に対して押圧され得るように構成されていることを特徴とするカートン。
【請求項６】
請求項５記載のカートンにおいて、
前記摩擦タブが、前記筒状構造の側壁から切り出されたものであることを特徴とするカートン。
【請求項７】
請求項４〜７のいずれか１項に記載のカートンにおいて、
前記側壁が、前記頂壁と前記保持パネルとを折曲可能に相互連結する上側側壁パネルと、前記底壁に接続されるとともに前記上側側壁パネルに対して取り付けられた下側側壁パネルと、を有し、
前記摩擦タブが、前記上側側壁パネルから切り出されていることを特徴とするカートン。
【請求項８】
請求項７記載のカートンにおいて、
前記下側側壁パネルが、前記上側側壁パネル内に形成された孔を前記摩擦タブによってカバーし得るよう、前記上側側壁パネルの外表面に対して取り付けられていることを特徴とするカートン。
【請求項９】
請求項８記載のカートンにおいて、
前記摩擦タブの一部が、前記上側側壁パネル内に形成された前記孔を通して露出され、
前記摩擦タブが、前記下側側壁パネルに対して接着剤によって固定されていることを特徴とするカートン。
【請求項１０】
請求項１〜９のいずれか１項に記載のカートンにおいて、
前記物品の中の１つの頂部を露出させ得るよう、前記物品保持構造の前記頂壁と前記側壁とのいずれかに、少なくとも１つの孔が形成されていることを特徴とするカートン。
【請求項１１】
請求項１〜１０のいずれか１項に記載のカートンにおいて、
さらに、前記カートンの端部を閉塞するための端部閉塞構造を具備し、
該端部閉塞構造は、端部閉塞パネルと、該端部閉塞パネルに対して折曲可能に接続されるとともに前記カートンの前記底壁と前記側壁との一方に対して固定され得る少なくとも１つの接着フラップと、を備えていることを特徴とするカートン。
【請求項１２】
例えばフレキシブルパウチといったような１つ以上の物品を収容するためのカートンを形成するためのブランクであって、
前記カートンを形成するための複数のパネルであり、互いに順次的に折曲可能に接続された第１側壁パネルと底壁パネルと第２側壁パネルと頂壁パネルとを備えた複数のパネルと、
前記頂壁パネルから延出する物品保持構造であり、少なくとも１つの物品受領孔を有して形成された保持パネルと、該保持パネルを双方の前記側壁パネルに対して連結するための固定手段と、を備え、これにより、組み立てられたカートン内において筒状構造を形成する物品保持構造と、
を具備し、
前記物品保持構造に、前記筒状構造を立体状態に維持するためのブレースが設けられていることを特徴とするブランク。
【請求項１３】
請求項１２記載のブランクにおいて、
前記ブレースが、前記保持パネルに対して折曲可能に接続されたブレースパネルを有し、
該ブレースパネルを前記筒状構造内へと折り曲げることによって、前記ブレースパネルが、前記筒状構造の内側面に対して係合することを特徴とするブランク。
【請求項１４】
請求項１３記載のブランクにおいて、
前記ブレースパネルが、前記保持パネルから切り出されたものであるとともに、前記筒状構造内へと折り曲げることによって前記物品受領孔を形成することを特徴とするブランク。
【請求項１５】
請求項１２〜１４のいずれか１項に記載のブランクにおいて、
前記ブレースパネルに、該ブレースパネルに対して折曲可能に接続された摩擦タブが設けられていることを特徴とするブランク。
【請求項１６】
請求項１５記載のブランクにおいて、
前記摩擦タブが、前記側壁パネルから切り出されたものであることを特徴とするブランク。
【請求項１７】
請求項１５または１６記載のブランクにおいて、
前記側壁パネルが、前記頂壁パネルと、前記底壁に接続された下側側壁パネルと、を折曲可能に相互連結する上側側壁パネルを有し、
前記摩擦タブが、前記上側側壁パネルから切り出されていることを特徴とするブランク。
【請求項１８】
請求項１２〜１７のいずれか１項に記載のブランクにおいて、
組み立てられたカートン内に収容された前記物品の中の１つの頂部を露出させ得るよう、前記物品保持構造の前記頂壁パネルと前記側壁パネルとのいずれかに、少なくとも１つの孔が形成されていることを特徴とするブランク。
【請求項１９】
請求項１２〜１８のいずれか１項に記載のブランクにおいて、
さらに、前記カートンの端部を閉塞するための端部閉塞構造を具備し、
該端部閉塞構造は、端部閉塞パネルと、該端部閉塞パネルに対して折曲可能に接続された少なくとも１つの接着フラップと、を備えていることを特徴とするブランク。
【請求項２０】
パッケージであって、
請求項１〜１１のいずれか１項に記載されたカートンと、
該カートン内にアレイ状でもって収容された物品と、
を具備することを特徴とするパッケージ。
【発明の詳細な説明】
【０００１】
【発明の属する技術分野】
本発明は、例えばフレキシブルなパウチパックや瓶といったような１つ以上の物品を収容するために使用されるカートン、および、このようなカートンを形成するためのブランクに関するものである。本発明は、また、ブランクからのカートンの形成方法と、カートン内への１つ以上の物品の搬入方法と、に関するものである。より詳細には、本発明は、１つ以上の物品の上部に対して取り付けられることによって物品をアレイ状で固定し得るような上部把持構造を備えた、巻付型カートンに関するものである。
【０００２】
【従来の技術および発明が解決しようとする課題】
上部把持式カートンは、特に瓶をマルチパッケージングするという技術分野においては、周知である。一例は、米国特許明細書第３，１６８，９６３号において、物品保持構造を備えるとともに頂壁と底壁との間に位置しかつ少なくとも１つの物品受領孔を有した保持パネルを備えた巻付型カートンとして開示されている。
【０００３】
公知の上部把持構造に関する問題点は、物品を保持するための保持パネルおよび／または筒状構造が潰れてしまいやすいという傾向を有しており、不安定な携行器しか形成されないことである。
【０００４】
【課題を解決するための手段】
本発明は、従来技術における上記問題点を克服することあるいは少なくとも部分的に緩和することを探求するものである。
【０００５】
本発明の一見地においては、例えばフレキシブルパウチといったような１つ以上の物品を収容するためのカートンであって、カートンの開放端を通しての収容物品のこぼれ落ちを防止するための物品保持構造を具備するカートンが提供される。物品保持構造は、カートンの頂壁と底壁との間に位置した両側壁の間にわたって延在する保持パネルを備え、これにより、頂壁と協働することによって筒状構造を形成するものとされている。保持パネルは、少なくとも１つの物品受領孔を有して形成され、筒状構造には、この筒状構造自体を立体状態に維持するためのブレースが設けられている。
【０００６】
本発明のこの見地における付加的な特徴点においては、ブレースは、保持パネルに対して折曲可能に接続されたブレースパネルを有することができ、このブレースパネルを筒状構造内へと折り曲げることによって、ブレースパネルは、筒状構造の内側面に対して係合することができる。付加的には、ブレースパネルは、保持パネルから切り出されたものであるとともに、筒状構造内へと折り曲げることによって物品受領孔を形成する。
【０００７】
本発明のこの見地における他の付加的な特徴点においては、ブレースパネルには、このブレースパネルに対して折曲可能に接続された摩擦タブを設けることができ、摩擦タブは、カートンの一方の側壁の上部と係合し得るように構成することができる。これに代えて、ブレースパネルには、このブレースパネルに対して折曲可能に接続された摩擦タブが設けることができ、摩擦タブは、この摩擦タブを折り曲げられた状態に維持し得るよう、筒状構造の内側面に対して押圧され得るように構成することができる。
【０００８】
好ましくは、摩擦タブは、筒状構造の側壁から切り出されたものとされる。
【０００９】
本発明のこの見地におけるさらなる付加的な特徴点においては、側壁は、頂壁と保持パネルとを折曲可能に相互連結する上側側壁パネルと、底壁に接続されるとともに上側側壁パネルに対して取り付けられた下側側壁パネルと、を有することができ、摩擦タブは、上側側壁パネルから切り出される。
【００１０】
好ましくは、下側側壁パネルは、上側側壁パネル内に形成された孔を摩擦タブによってカバーし得るよう、上側側壁パネルの外表面に対して取り付けられる。より詳細には、摩擦タブの一部は、上側側壁パネル内に形成された孔を通して露出され、摩擦タブは、下側側壁パネルに対して接着剤によって固定される。
【００１１】
本発明のこの見地における他の付加的な特徴点においては、物品の中の１つの頂部を露出させ得るよう、物品保持構造の頂壁と側壁とのいずれかに、少なくとも１つの孔が形成される。
【００１２】
さらに、カートンの端部を閉塞するための端部閉塞構造を具備することができ、この端部閉塞構造は、端部閉塞パネルと、この端部閉塞パネルに対して折曲可能に接続されるとともにカートンの底壁と側壁との一方に対して固定され得る少なくとも１つの接着フラップと、を備える。
【００１３】
本発明の第２見地は、例えばフレキシブルパウチといったような１つ以上の物品を収容するためのカートンを形成するためのブランクであって、カートンを形成するための複数のパネルであり、互いに順次的に折曲可能に接続された第１側壁パネルと底壁パネルと第２側壁パネルと頂壁パネルとを備えた複数のパネルと；頂壁パネルから延出する物品保持構造であり、少なくとも１つの物品受領孔を有して形成された保持パネルと、この保持パネルを双方の側壁パネルに対して連結するための固定手段と、を備え、これにより、組み立てられたカートン内において筒状構造を形成する物品保持構造と；を具備し、物品保持構造に、筒状構造を立体状態に維持するためのブレースが設けられているようなブランクが提供される。
【００１４】
ブレースは、保持パネルに対して折曲可能に接続されたブレースパネルを有することができ、ブレースパネルを筒状構造内へと折り曲げることによって、ブレースパネルは、筒状構造の内側面に対して係合することができる。
【００１５】
本発明のこの第２見地における付加的な特徴点においては、ブレースパネルは、保持パネルから切り出されたものであるとともに、筒状構造内へと折り曲げることによって物品受領孔を形成する。
【００１６】
本発明のこの第２見地における他の付加的な特徴点においては、ブレースパネルには、このブレースパネルに対して折曲可能に接続された摩擦タブが設けられる。付加的には、摩擦タブは、側壁パネルから切り出されたものとされる。
【００１７】
本発明の第２見地における他の付加的な特徴点においては、側壁パネルは、頂壁パネルと、底壁に接続された下側側壁パネルと、を折曲可能に相互連結する上側側壁パネルを有することができ、摩擦タブは、上側側壁パネルから切り出される。
【００１８】
組み立てられたカートン内に収容された物品の中の１つの頂部を露出させ得るよう、物品保持構造の頂壁パネルと側壁パネルとのいずれかに、少なくとも１つの孔を形成することができる。
【００１９】
本発明の第２見地における他の付加的な特徴点においては、さらに、カートンの端部を閉塞するための端部閉塞構造を具備し、この端部閉塞構造は、端部閉塞パネルと、この端部閉塞パネルに対して折曲可能に接続された少なくとも１つの接着フラップと、を備えている。
【００２０】
【発明の実施の形態】
以下においては、添付図面を参照しつつ、本発明を何ら限定するものではなく単なる例示としてのいくつかの実施形態に関して説明する。
【００２１】
添付図面においては、特に図１には、物品携行器を形成するためのものであって、厚紙や同様の折曲可能シート材料から形成された、一体型ブランク（１０）が示されている。他の実施形態においては、ブランクは、２部材型ブランクとすることができる。例えば、巻付型携行器を形成するためのブランクと、内部設置式物品保持構造を形成するための個別のブランクと、を備えたブランクとすることができる。ブランク（１０）は、頂壁と互いに対向する側壁と底壁とを形成するように順次的に折曲可能に接続された一連のパネルを備えている。すなわち、ブランク（１０）は、巻付型カートンを形成するための複数のパネルを備えている。この実施形態においては、ブランク（１０）は、第１側壁パネル（１４）と、底壁パネル（１６）と、第２側壁パネル（１８）と、上側第２側壁パネル（２０）と、頂壁パネル（２２）と、を備えており、これらパネルは、折曲線（３２，３４，３６，３８）のそれぞれに沿って折曲可能であるようにして順次的に接続されている。
【００２２】
第１側壁パネル（１４）を頂壁パネル（２２）に対して固定するために、適切な固定手段が設けられている。この実施形態においては、固定手段は、折曲線（３０）に沿って第１側壁パネル（１４）の側方エッジに対して折曲可能に接続された固定フラップ（１２）によって構成されている。
【００２３】
さらに、物品保持構造を形成するための複数のパネルが、折曲線（４０）に沿って頂壁パネル（２２）に対して折曲可能に接続されることにより、設けられている。この実施形態においては、物品保持構造は、第１スペーサパネル（２４）と、保持パネル（２６）と、固定パネル（２８）と、によって構成されており、これらパネルは、折曲線（４２，４４）のそれぞれに沿って折曲可能であるようにして順次的に接続されている。スペーサパネル（２４）は、保持パネル（２６）を頂壁パネル（２２）から離間させる。
【００２４】
さらに、１つ以上の陳列ウィンドウ（あるいは、展示ウィンドウ）を設けることができる。陳列ウィンドウは、図１に示すように、頂壁パネル（２２）内にまで延出するようにして上側第２側壁パネル（２０）に貫通形成された孔（４６，４８）によって構成されている。使用時には、陳列孔（４６，４８）は、携行器内に保持される物品のキャップの一部を露出させる。
【００２５】
物品保持構造が潰れてしまうことを防止するため、ブレースが設けられる。図１においては、ブレースパネル（５０）が設けられており、このブレースパネル（５０）は、保持パネル（２６）から切り出されているとともに、保持パネル（２６）に対して折曲線（５４）に沿って折曲可能に接続されている。好ましくは、さらに、摩擦タブ（５８）が、ブレースパネル（５０）から切り出されかつブレースパネル（５０）に対して折曲線（６２）に沿って折曲可能に接続されている。使用時には、ブレースパネル（５０）を、保持パネル（２６）との面一位置から折り曲げることにより、物品受領孔（９０）（図７）を形成する。第２ブレースパネルを設けることができる。この実施形態においては、第２ブレースパネルは、符号（５２）によって示されており、この第２ブレースパネル（５２）は、保持パネル（２６）から切り出されているとともに、保持パネル（２６）に対して折曲線（５６）に沿って折曲可能に接続されている。同様に、摩擦タブ（６０）が、第２ブレースパネル（５２）に対して折曲線（６４）に沿って折曲可能に接続されている。
【００２６】
図２に図示された第２実施形態について説明すると、ブランク（１１０）は、実質的に第１実施形態と同じである。よって、同様の部材には、同じ参照符号の前に『１』を追加した符号を付すことにする。したがって、相違点についてのみ詳細に説明する。
【００２７】
例えば販売前の時点といったような時点において、物品が無用にこぼれ落ちてしまうことを防止するため、端部閉塞構造が設けられる。端部閉塞構造は、互いに対向した端部閉塞パネル（１７６ａ，１７６ｂ）によって構成されており、これら対向端部閉塞パネル（１７６ａ，１７６ｂ）は、側壁パネル（１１８）の対向辺に対してそれぞれ折曲線（１７５ａ，１７５ｂ）に沿って折曲可能に接続されている。端部閉塞パネル（１７６）を所定に固定するために、適切な固定手段が設けられる。このような固定手段としては、例えば、ロックタブと孔構成とを使用することができる。
【００２８】
各端部閉塞構造の構成は、互いに同一である。そのため、図２においては、同じ参照符号の後に、文字「ａ」および「ｂ」のそれぞれが付加されている。この実施形態においては、隣接する第１側壁パネル（１１４）と底壁パネル（１１６）とのそれぞれに対する固定のために、接着フラップ（１７８，１８０）が設けられている。図２により、接着フラップ（１７８）が、折曲線（１８２）に沿って端部閉塞パネル（１７６）の縦エッジに対して接続されていること、および、接着フラップ（１８０）が、この実施形態においては折曲線（１３４）の延長上に位置した折曲線（１８４）に沿って端部閉塞パネル（１７６）の横エッジに対して接続されていること、が理解されるであろう。
【００２９】
図３に図示された第３実施形態について説明すると、この第３実施形態は、全体的構成において第１実施形態と同様であるとともに、端部閉塞パネル（２７６）が設けられている点において第２実施形態と同様である。よって、第１および第２実施形態と同様の部材には、同じ参照符号の前に『２』を追加した符号を付すことにする。したがって、第２実施形態との相違点についてのみ詳細に説明する。
【００３０】
この第３実施形態においては、さらに、対応孔（２４６）と位置合わせしつつ頂壁パネル（２２０）の対向部分に沿って、付加的な孔（２７０）が設けられている。孔（２７０）は、頂壁パネル（２２０）から貫通形成されているとともに、スペーサパネル（２２４）内にまで延出されている。使用時には、孔（２７０）は、隣接物品（Ａ）の上部のための第２陳列ウィンドウを構成する。同様に、２列の物品を収容する実施形態においては、孔（２４８）と実質的に位置合わせしつつ、頂壁パネル（２２０）から貫通形成しかつスペーサパネル（２２４）にまで延出させて、第２孔（２７２）が設けられる。
【００３１】
さらに、側壁パネル（２１４）の自由エッジに沿って、対応凹所（２８６，２８８）が設けられている。使用時には、これら凹所（２８６，２８８）は、孔（２７０，２７２）のそれぞれに対して位置合わせされ、これにより、陳列ウィンドウが形成される。
【００３２】
あるクラスの実施形態においては、摩擦タブ（２５８）は、ブレースパネル（２５０）と同一の広がりを有しているわけではなく、短いものとされている。これにより、孔またはノッチ（２６６）が形成される。使用時には、このノッチ（２６６）は、孔（２７０）を通して摩擦タブ（２５８）を突出させ得るように機能し、これにより、摩擦タブを物品に対して係合させることができる。ブレースタブ（２６０）に隣接させて、同様に機能する同様のノッチ（２６８）が設けられている。
【００３３】
さらに、一方の側壁パネルから貫通形成された孔（２７４）と、接着フラップ（２２８）内に形成された対応凹所（２８９）と、を設けることができ、これにより、物品（Ａ）の側壁の一部を露出させるような付加的な陳列ウィンドウを形成することができる。
【００３４】
図１４に図示された第４実施形態について説明すると、この第４実施形態は、摩擦タブに関する細部を除いては、全体的構成において第３実施形態と実質的に同一である。よって、第３実施形態と同様の部材には、同じ参照符号の前に『３』を追加した符号を付すことにする。したがって、第３実施形態との相違点についてのみ詳細に説明する。
【００３５】
この第４実施形態においても、摩擦タブ（３５８）は、ブレースパネル（３５０）と同一の広がりを有しているわけではなく、短いものとされている。しかしながら、孔またはノッチ（３６６）は、ブレースパネル（３５０）のうちの、折曲線（３５４）から遠い方の自由端に隣接して形成されている。使用時には、このノッチ（３６６）は、タブ（３５８）が露出することを防止するように機能し、孔（３７０）を通しての見通しを確保する。言い換えれば、ノッチ（３６６）は、孔（３７０）と協働するために、摩擦タブ（３５８）から切り出されており、これにより、一方の物品の上部を露出させるためのウィンドウが形成されるようになっている。同様のノッチ（３６８）が、ブレースパネル（３５２）の自由端に隣接して設けられている。このノッチ（３６８）は、摩擦タブ（３６０）が露出することを防止するように機能し、孔（３７２）を通しての見通しを確保する。
【００３６】
図１，２，３，１４に示されたブランクのいずれかから形成されたカートンの構成について説明すると、本発明によるカートンを一連の折曲操作と接着操作とによって形成することができ、また、これら操作は、直線型構成の機械によって達成することができることが想定される。そのため、本発明によるカートンは、組立を完成するために、回転させたりあるいは向きを変えたりする必要がない。折曲プロセスは、後述のものに限定されるものではなく、特定の製造要求に応じて変更することができる。
【００３７】
さて、特に図４に示すように、第１実施形態によるブランク（１０）を折曲線（４０）に沿ってＸ向きに折り曲げることにより、内部設置型物品保持構造が形成される。この時点では、スペーサパネル（２４）と保持パネル（２６）とが、頂壁パネル（２２）と上側第２側壁パネル（２０）とに対して面接触関係に配置され、フラップ（２８）を側壁パネル（１８）に対して接着剤（Ｇ）または当該技術分野において公知の他の適切な固定手段によって固定することにより、そのような位置関係に維持される。これにより、携行器は、図５に示すような、中間組立ステージとなる。この時点では、携行器は、後述するようにして物品を搬入するための例えば瓶詰め業者といったような使用者に対して供給される待受状態をなすフラットな平板状態とされている。
【００３８】
携行器を組み立てて搬入を行うために、保持構造およびブレースを形成する。すなわち、物品保持構造をなすパネル（２０，２２，２４，２６）を、折曲線（３８，４０，４２，４４）に沿ってＹ向きに折り曲げることにより、図６に示すような筒状構造（Ｔ）を形成する。この折曲操作により、摩擦タブ（５８，６０）が露出されることとなり、ブレース形成の待受状態となる。その後、ブレースパネル（５０，５２）を、図７に示すようにしてそれぞれ折曲線（５４，５６）に沿ってかつそれぞれＷ向きおよびＶ向きに折り曲げることによってブレースパネル（５０，５２）をブレース位置とすることにより、ブレースを形成する。ブレースパネル（５０，５２）は、スペーサパネル（２４）と対向側壁部分とに対して接触することとなる自由端によって、ブレースとして機能する。これに加えて、あるいは、これに代えて、ブレースタブは、頂壁に対して当接することができ、これにより、頂壁パネル（２２）と保持パネル（２６）との間におけるブレースを構成することができる。
【００３９】
摩擦タブ（５８，６０）を有した実施形態においては、摩擦タブ（５８，６０）を折曲線（６２，６４）に沿って折り曲げることによって、摩擦タブ（５８，６０）が、スペーサパネル（２４）に対して面接触関係となる。いくつかの実施形態においては、スペーサパネルを省略することが想定される。その場合には、摩擦タブは、側壁に対して面接触関係となることとなる。
【００４０】
再度、図７に示す実施形態について説明すると、ブレースパネル（５０，５２）は、スペーサパネル（２４）の内面と各タブ（５８，６０）との間の摩擦係合によって所定位置に保持されている。これにより、立体化された状態での筒状構造が維持されている。付加的には、摩擦タブ（５８，６０）に対して接着剤を適用することによって、摩擦タブ（５８，６０）をスペーサパネル（２４）に対して固定することができる。タブ（５８，６０）は、部分（５９，６１）（図９）において孔（９０，９２）を通して突出するような形状とすることができる。有利には、これにより、タブ（５８，６０）を、携行器の外側パネルに対して直接的に固定することができる。例えば固定タブ（１２）に対して固定することができ、これにより、剛直さが改良された構造をもたらすことができる。
【００４１】
カートンの組立を完了するために、巻付型携行器を形成する各パネルを巻付構造とする。すなわち、底壁パネル（１６）と第１側壁パネル（１４）とを、図８に示すようにして、折曲線（３４，３２）のそれぞれに沿って、第２側壁パネル（１８）と対向するように折り曲げる。
【００４２】
巻付型携行器の完成前に、好ましくは連続的前方移動時に、物品（Ａ）と筒状構造（Ｔ）との間の相対移動によって、携行器に対して物品を適用する。物品は、２行２列というアレイをなすようにグループ分けされる。しかしながら、本発明の範囲を逸脱することなく、他のグループ分けが適用された物品をパッケージングしたり、あるいは、単一の物品をパッケージングしたり、することも想定される。
【００４３】
図９および図１０に示すように、孔（９０，９２）を通過させることによって、物品を、筒状構造（Ｔ）内において所定に保持することができる。いくつかの実施形態においては、適切な保持手段が、物品の上部に係合することによって、孔（９０，９２）内における一切の変位を防止することができる。その後、上述したようにして側壁および底壁を折り曲げ、接着フラップ（１２）をスペーサパネル（２４）に対して接着剤や当該技術分野において公知の他の適切な手段によって固定することにより、第１側壁パネル（１４）を物品保持構造に対して固定する。これにより、カートンは、図１０に示すように、物品が搬入された組立状態となる。
【００４４】
この実施形態においては、パッケージングされる物品がフレキシブルなフォイルパウチであり、そのため、物品を所定位置に保持し得るよう、巻付型携行器を形成する各パネルを、固定フラップ（１２）とスペーサパネル（２４）との接着前に固定フラップ（１２）をスペーサパネル（２４）に沿って引き上げるようにして、緊密に巻き付けるようにしていることは、理解されるであろう。これにより、安定的にかつ容易に積層パッケージングを得ることができる。
【００４５】
第２、第３、および、第４実施形態に関する組立操作は、第１実施形態に関して上述するとともに図４，５，６，７において図示した組立操作と実質的に同一である。そのため、端部閉塞構造の組立操作についてのみ、詳細に説明する。物品（Ａ）は、図１１および図１２に示すように、連続的な前進供給時に、相対的鉛直方向移動によって、物品保持構造に対して適用する。そして、底壁パネル（２１６）と側壁パネル（２１４）とを折り曲げるよりも先に、端部閉塞構造を形成する。これは、端部壁パネル（２７６）を折曲線（２７５）に沿って内方側へと折り曲げることによって、得られる。これに加えて、接着フラップ（２７８，２８０）を、図１２に示すように、物品（Ａ）の周囲において折曲線（２８２，２８４）のそれぞれに沿って折り曲げる。その後、底壁パネル（２１６）および側壁パネル（２１４）の一方または双方を、それぞれ対応する接着フラップ（２７８，２８０）に対して固定することができ、これにより、端部閉塞パネル（２７６）を所定に維持することができる。これにより、カートンは、図１３に示すような組立状態となる。
【００４６】
図１２に示す実施形態においては、摩擦タブ（２５８，２６０）は、それぞれ孔（２７０，２７２）内において係合しており、これにより、ブレースパネル（２５０，２５２）をブレース位置に保持している。
【００４７】
本発明および本発明の好ましい実施形態は、１つ以上の物品受領孔をも形成している材料から形成された物品保持構造内においてブレースを形成するための構成に関するものである。しかしながら、本発明が様々な携行器に対して適用可能であることが想定されており、本発明は、上記のような巻付タイプに限定されるものではない。
【００４８】
ここで使用された場合、例えば『頂』や『底』や『端』や『側』や『内』や『外』や『上』や『下』といったような方向参照は、そのような向きの各パネルに限定されるものではなく、単にこれらパネルを互いに区別するためのものであることは、理解されるであろう。『折曲可能な接続』とか折曲線とかいったものは、必ずしも単一の折曲線を意味するものとして構成されるべきものではなく、実際、『折曲可能な接続』は、本発明の範囲を逸脱することなく、切込線や脆弱線や折曲線の中のいずれかとして形成することができる。
【００４９】
本発明の範囲を逸脱することなく様々な変更を行い得ることは理解されるであろう。例えば、パネルや孔のサイズや形状は、様々なサイズや形状の物品を収容し得るように調節することができる。また、代替的には、頂壁閉塞構造や底壁閉塞構造を使用することができる。カートンは、様々なアレイをなす２つ以上の物品を収容することができる。例示された実施形態においては、２行２列というアレイに配列された４個の物品が収容されている。しかしながら、他のアレイを想定し得ることは自明である。
【図面の簡単な説明】
【図１】本発明の第１実施形態によるブランクを示す平面図である。
【図２】本発明の第２実施形態によるブランクを示す平面図である。
【図３】本発明の第３実施形態によるブランクを示す平面図である。
【図４】携行器を、消費者に対する供給待受状態をなすフラットな平板状態とするための、第１実施形態に関する組立の第１ステージを示す図である。
【図５】携行器を、消費者に対する供給待受状態をなすフラットな平板状態とするための、第１実施形態に関する組立の第１ステージを示す図である。
【図６】図５に示すフラットな平板状態からの携行器の組立を示す図である。
【図７】図５に示すフラットな平板状態からの携行器の組立を示す図である。
【図８】図５に示すフラットな平板状態からの携行器の組立を示す図である。
【図９】図５に示す携行器を立体的として搬入可能状態とした様子を示す図である。
【図１０】図５に示す携行器を組み立てて完成させた状態を示す図である。
【図１１】ブランクに関する図３の第３実施形態による携行器の場合の組立を示す図である。
【図１２】ブランクに関する図３の第３実施形態による携行器の場合の組立を示す図である。
【図１３】図３のブランクから形成され立体化されたカートンを示す斜視図である。
【図１４】本発明の第４実施形態をなすブランクの一部を示す平面図である。
【符号の説明】
１０　　ブランク
１４　　第１側壁パネル（側壁パネル）
１６　　底壁パネル
１８　　第２側壁パネル（側壁パネル）
２０　　上側第２側壁パネル（上側側壁パネル）
２２　　頂壁パネル
２４　　第１スペーサパネル
２６　　保持パネル
２８　　固定パネル
５０　　ブレースパネル
５２　　第２ブレースパネル（ブレースパネル）
５８　　摩擦タブ
６０　　摩擦タブ
９０　　物品受領孔
９２　　物品受領孔
１１０　　ブランク
１１４　　第１側壁パネル
１１６　　底壁パネル
１１８　　側壁パネル
１７６ａ　端部閉塞パネル
１７６ｂ　端部閉塞パネル
１７８ａ　接着フラップ
１７８ｂ　接着フラップ
１８０ａ　接着フラップ
１８０ｂ　接着フラップ
２１４　　側壁パネル
２２０　　頂壁パネル
２５０　　ブレースパネル
２５２　　ブレースパネル
２５８　　摩擦タブ
２６０　　摩擦タブ
２７６　　端部閉塞パネル
３５０　　ブレースパネル
３５２　　ブレースパネル
３５８　　摩擦タブ
３６０　　摩擦タブ
Ａ　　物品
Ｔ　　筒状構造
【国際公開パンフレット】
2004508251.tif 000003
2004508251.tif 000004
2004508251.tif 000005
2004508251.tif 000006
2004508251.tif 000007
2004508251.tif 000008
2004508251.tif 000009
2004508251.tif 000010
2004508251.tif 000011
2004508251.tif 000012
2004508251.tif 000013
2004508251.tif 000014
2004508251.tif 000015
2004508251.tif 000016
2004508251.tif 000017
2004508251.tif 000018
2004508251.tif 000019
2004508251.tif 000020
2004508251.tif 000021
2004508251.tif 000022
2004508251.tif 000023
2004508251.tif 000024
2004508251.tif 000025
2004508251.tif 000026
2004508251.tif 000027
【国際調査報告】
2004508251.tif 000028
2004508251.tif 000029
2004508251.tif 000030